(57)【要約】      （修正有）【課題】係止棒に吊り下げ可能な安価な靴下用の吊り下げ用口券を提供する。【解決手段】吊り下げ用口券１０は、平面状のシートで形成されるとともに、シートが所定の位置で折り返されて、係止棒に吊り下げ可能になる。吊り下げ用口券は、靴下を挟持する挟持片（第一挟持片１００、第二挟持片２００、第三挟持片３００であってこれらの一部には略四辺形と略円形とが連結された形状の係止穴２０２、３０２が設けられている）と、係止穴２１２、３１２が設けられた係止片（第二係止片２１０、第三係止片３１０）とを含む。シートを所定の位置で折り返すことにより、係止片に設けられた係止穴と挟持片に設けられた係止穴とが重なり合って、四重以上に重ねられたシートにより係止棒への挿通孔が形成される。【選択図】図１
0003221511.tif 000002
【実用新案登録請求の範囲】
【請求項１】
靴下を含む繊維小物の吊り下げ用口券であって、
前記吊り下げ用口券は、平面状のシートで形成されるとともに、前記シートが所定の位置で折り返されて係止棒に吊り下げ可能な形状になり、
前記吊り下げ用口券は、
前記シートを所定の位置で折り返すことにより、前記係止棒が挿通される挿通孔を形成する係止片と、
前記シートを所定の位置で折り返すことにより、前記挿通孔を形成するとともに前記繊維小物を挟持する挟持片とを含み、
前記挟持片および前記係止片は、略四辺形と略円形とが連結された形状である穴を備え、
前記シートを所定の位置で折り返すことにより、前記係止片に設けられた穴と前記挟持片に設けられた穴とが重なり合って、四重以上に重ねられたシートにより前記挿通孔が形成され、
前記シートを所定の位置で折り返すことにより、前記挿通孔に前記係止棒が貫通する方向に前記シートが存在しないように形成されることを特徴とする吊り下げ用口券。
【考案の詳細な説明】
【技術分野】
【０００１】
本考案は、靴下に代表される繊維小物の吊り下げ用口券に関し、特に、平面状のシートで形成されるとともにこのシートが所定の位置で折り返されて係止棒に吊り下げ可能な安価な吊り下げ用口券に関する。
【背景技術】
【０００２】
従来、靴下またはタイツ等の繊維小物を陳列用ディスプレイに取り付けたハンガー掛けに吊り下げるための吊り下げ用口券においては、（１）長方形状の厚紙を二つ折りにし、この折曲部上端側にハンガー掛けに挿通する挿通孔（単なる丸穴）を穿設したもの、（２）長方形状の厚紙を二つ折りにし、この折曲部上端側にハンガー掛けに係止する鉤状の係止溝を形成したもの、または、（３）長方形状の厚紙を二つ折りにし、この折曲部に切込みを設けてこの切込みに樹脂等で形成したフックを取付けてハンガー掛けに係止するようにしたもの等がある。
【０００３】
しかしながら、（１）においては、ハンガー掛けの先端から順に外していかなければならないためハンガー掛けの奥の方に吊り下げられている靴下等を取出すのが面倒であるという問題があり、（２）においては、ハンガー掛けの奥の方に吊り下げられている靴下等でも容易に取出すことができるという利点はあるが、丸棒状のハンガー掛けの外周に係止溝の円弧状をなす先端内周縁が係合密着するため引張り力に対して比較的弱く、吊り下げてある靴下等の商品を見ようとして横方向に引っ張るようにして回動させたときにその引張り荷重により口券を破損させてしまうおそれがあるという問題があり、（３）においては、フックを作成するための材料費と、工費およびこのフックを取付ける手間が掛かるため、高価なものになってしまうという問題がある。
【０００４】
これらの問題に鑑みた吊り下げ用口券が、実用新案登録第３０８１７１０号公報（特許文献１）に開示されている。この特許文献１に開示された吊り下げ用口券は、（Ａ）長方形状の厚紙を二つ折りにし、該折曲部上端側にハンガー掛けに挿通する挿通孔を穿設した靴下等小物洋品類の吊り下げ用口券において、前記挿通孔から折曲部縁に至近する切込みを切設したことを特徴とし、さらに、（Ｂ）長方形状の厚紙を二つ折りにし、該折曲部上端側にハンガー掛けに係止する鉤状の係止溝を形成した靴下等小物洋品類の吊り下げ用口券において、前記係止溝の先端の径をハンガー掛けの径よりも小径としたことを特徴とする。
【０００５】
そして、（Ａ）においては、表裏の切込みの間に不連続部が形成されているため適度な耐引張り荷重を有するため不用意な引張り荷重が掛かっても外れることがなく、ハンガー掛けの奥にある商品でも適度な引張り荷重を与えることにより容易に取り出すことができ、（Ｂ）においては、吊り下げ用口券に形成した係止溝の先端の径をハンガー掛けの径よりも小径にしたので、係止溝の先端とハンガー掛けとの間に隙間が形成されるため、該係止溝に掛かる引張り荷重を分散させることができるので、引張り荷重に対する強度を高めることができる。そして、（Ａ）および（Ｂ）において、樹脂製の吊り下げ用フックを必要としないので、安価に提供できるだけではなく、使用後は燃えるごみとして処理できるので、環境上有益である。
【先行技術文献】
【特許文献】
【０００６】
【特許文献１】実用新案登録第３０８１７１０号公報
【考案の概要】
【考案が解決しようとする課題】
【０００７】
しかしながら、（Ａ）においては、ハンガー掛けの奥にある商品を取り出す場合には引張り荷重を与えて表裏の切込みの間に不連続部を連続させる（すなわち口券の一部を破る）必要があるために厚紙の強度および不連続部の長さによっては不連続部が連続されないでハンガー掛けの奥にある商品を取り出すことができない場合があり、（Ｂ）においては、ハンガー掛けの径が常に一定であるとは限らず、かつ、係止溝の先端とハンガー掛けとの間に形成される隙間はわずかであるので、係止溝に掛かる引張り荷重を分散させることができない場合がある。
【０００８】
本考案は、従来技術の上述の問題点に鑑みて開発されたものであり、その目的とするところは、靴下を含む繊維小物の吊り下げ用口券に関し、特に、平面状のシートで形成されるとともにこのシートが所定の位置で折り返されて係止棒に吊り下げ可能な安価な吊り下げ用口券を提供することである。
なお、本考案に係る吊り下げ用口券が好適に適用される繊維小物には、靴下（ソックス）のみならず（靴下の丈の長さは特に限定されない）、パンティ部を備えたパンティーストッキングおよびタイツ（これらの一部（足首より先の部分やパンティ部等）を欠落させた、スパッツ、レギンスおよびトレンカ等と呼ばれるものを含む）を含み、さらにボクサーパンツ等の下着類を含む。
【課題を解決するための手段】
【０００９】
上記目的を達成するため、本考案に係る吊り下げ用口券は以下の技術的手段を講じている。
すなわち、本考案に係る吊り下げ用口券は、靴下を含む繊維小物の吊り下げ用口券であって、前記吊り下げ用口券は、平面状のシートで形成されるとともに、前記シートが所定の位置で折り返されて係止棒に吊り下げ可能な形状になり、前記吊り下げ用口券は、前記シートを所定の位置で折り返すことにより、前記係止棒が挿通される挿通孔を形成する係止片と、前記シートを所定の位置で折り返すことにより、前記挿通孔を形成するとともに前記繊維小物を挟持する挟持片とを含み、前記挟持片および前記係止片は、略四辺形と略円形とが連結された形状である穴を備え、前記シートを所定の位置で折り返すことにより、前記係止片に設けられた穴と前記挟持片に設けられた穴とが重なり合って、四重以上に重ねられたシートにより前記挿通孔が形成され、前記シートを所定の位置で折り返すことにより、前記挿通孔に前記係止棒が貫通する方向に前記シートが存在しないように形成されることを特徴とする。
【００１０】
好ましくは、前記挟持片および前記係止片が備える前記穴は、前記略四辺形の一辺が前記略円形の略接線であるように連結された形状であるように構成することができる。
さらに好ましくは、前記挟持片および前記係止片が備える前記穴は、前記略四辺形の一辺が前記略円形の略接線であるように連結された形状であって、連結された部分において略四辺形の辺の長さよりも略円形の直径の長さが大きいように構成することができる。
【考案の効果】
【００１１】
本考案に係る吊り下げ用口券によると、靴下を含む繊維小物の吊り下げ用口券であって、平面状のシートで形成されるとともにこのシートが所定の位置で折り返されて係止棒に吊り下げ可能な安価な吊り下げ用口券を提供することができる。
【図面の簡単な説明】
【００１２】
【図１】本考案の実施の形態に係る吊り下げ用口券１０の全体を示す平面図であって、所定の位置で折り返す前の平面図である。
【図２】図１の吊り下げ用口券１０を靴下Ｓに適用する場合の手順を説明するための図である。
【図３】図１の吊り下げ用口券１０を靴下Ｓに適用した場合の商品陳列状態を説明するための斜視図である。
【考案を実施するための形態】
【００１３】
以下、本考案の実施の形態に係る厚紙製の吊り下げ用口券１０を、図面に基づき詳しく説明する。なお、以下の説明においては、厚紙の素材からなる平面状のシートを所定の位置で折り返すことにより形成される吊り下げ用口券１０について説明するが、本考案に係る吊り下げ用口券の素材は厚紙に限定されるものではなく紙以外の素材を含み、プラスチック等の素材からなる平面状のシートを立体状に組み立てる吊り下げ用口券であっても構わない。また、このような吊り下げ用口券は、口券ではなく口紙と呼ばれる場合もある。
【００１４】
図１（Ａ）に示すこの吊り下げ用口券１０の全体を示す平面図であって所定の位置で折り返す前の平面図、図１（Ｂ）に示す挿通孔Ｈを形成する挟持片および係止片に設けられる穴を説明するための図、図２に示すこの吊り下げ用口券１０を繊維小物の一例である靴下Ｓに適用する場合の手順を説明するための図、および、図３に示すこの吊り下げ用口券１０を靴下Ｓに適用した場合の商品陳列状態を説明するための斜視図を参照して、この吊り下げ用口券１０について説明する。なお、図２に示す点線は谷折り線を、１点鎖線は山折り線を、それぞれ示す。また、図２における点線であって図１において符号が付されていない点線は、図２における隠れ線である。
【００１５】
この吊り下げ用口券１０は、図１（Ａ）に示すように平面状のシートで形成されるとともに、図２に示す手順でこのシートが所定の位置で折り返されて、図３に示すように丸棒状の係止棒Ｂに吊り下げ可能な形状になる。そして、この吊り下げ用口券１０は、大略的には、このシートを所定の位置で折り返すことにより係止棒Ｂが挿通される挿通孔Ｈを形成するとともに靴下Ｓに代表される繊維小物を挟持する第一挟持片１００、第二挟持片２００および第三挟持片３００と、このシートを所定の位置で折り返すことにより係止棒Ｂが挿通される挿通孔Ｈを形成する係止片とを含む。さらに詳しくは、この係止片としては、第二挟持片２００に設けられた第二係止片２１０および第三挟持片３００に設けられた第三係止片３１０があり、第一挟持片１００には係止片はもうけられていない（このため、第一係止片は存在しない）。なお、係止棒Ｂが挿通される挿通孔Ｈは少なくとも１つ存在すればよく、その個数は限定されるものではない。また、図１における紙面縦方向の寸法については、限定されるものではないが、第三挟持片３００が他の第一挟持片１００および第二挟持片２００よりも長く、靴下Ｓの台紙として機能する。靴下Ｓは第一挟持片１００と第三挟持片３００との間に挟み込まれるが、これらの第一挟持片１００、第二挟持片２００および第三挟持片３００は、図１における紙面縦方向の長さも紙面横方向の長さも靴下Ｓよりも小さく（より詳しくは図２示す靴下Ｓに付した山折り線ＳＳで折り畳まれた靴下Ｓよりも小さく）、靴下Ｓは第一挟持片１００と第三挟持片３００との間に挟み込まれた図２（Ｅ）および図３に示す状態であっても靴下Ｓの多くの部分がこの吊り下げ用口券１０から露出しているので、需用者は商品である靴下Ｓそのものを視覚および触覚で容易に確認することができる。
【００１６】
そして、特徴的であるのは、これらの挟持片（第二挟持片２００および第三挟持片３００）ならびに係止片（第二係止片２１０および第三係止片３１０）は、略四辺形と略円形とが連結された形状であって、略四辺形の一辺が略円形の略接線であるように連結された形状であって、連結された部分において略四辺形の辺の長さよりも略円形の直径の長さが大きい穴であって、このシートを所定の位置で折り返すと上述した挿通孔Ｈを形成する穴を備える。このシートを所定の位置で折り返すことにより、これらの係止片に設けられた穴と挟持片に設けられた穴とが重なり合って、四重以上（この吊り下げ用口券１０においては四重）に重ねられたシートにより挿通孔Ｈが形成される。
【００１７】
また、このシートを所定の位置で折り返すことにより、図２（Ｅ）に示すように、挿通孔Ｈに係止棒Ｂが貫通する方向にシートが存在しないように形成される。具体的には、互いに同程度の幅で平行な第二狭持片２００および第三狭持片３００に対して第一狭持片１００をこれらの第二狭持片２００および第三狭持片３００とは平行ではなく角度を持たせて延設してある。そして、第一狭持片１００を第二狭持片２００および第三狭持片３００に重ねるように、第一挟持片１００を谷折り線１５１および谷折り線１５２で第三挟持片３００側へ折り返して重ね合わせる（矢示Ｒ（７）方向へ折り返す）。このときに、小物間隙部１５０が形成する平面よりも上方に挿通孔Ｈが形成されて、挿通孔Ｈに係止棒Ｂが貫通する方向にシートが存在しないように形成されている。これにより、靴下Ｓが挟持された吊り下げ用口券１０の挿通孔Ｈに係止棒Ｂを係止させるときに、挿通孔Ｈに係止棒Ｂが貫通する方向にシートが存在しないので、シートが邪魔にならず作業性が向上する。
【００１８】
ここで、挿通孔Ｈを形成するために挟持片（第二挟持片２００および第三挟持片３００）ならびに係止片（第二係止片２１０および第三係止片３１０）に備えられる穴（ここでは第二係止片２１０に備えられる穴２１２）は、図１（Ｂ）に示すように、略四辺形２１２Ａと略円形２１２Ｃとが連結された形状であって、略四辺形２１２Ａの一辺が略円形２１２Ｃの略接線２１２Ｂであるように連結された形状の穴である。そして、連結された部分において略四辺形２１２Ａの辺の長さＬよりも略円２１２Ｃの直径φＤの長さが大きい。なお、挿通孔Ｈを形成するために挟持片（第二挟持片２００および第三挟持片３００）ならびに係止片（第二係止片２１０および第三係止片３１０）に備えられる穴は、上述した略四辺形と略円形とが連結した穴の他に略Ｌ字状の穴を一例として挙げることができる。
【００１９】
このような特徴を備えた本考案の実施の形態に係る吊り下げ用口券１０についてさらに詳しく説明する。なお、第二挟持片２００については、図１に示すように、第一挟持片１００側であって図３に示す状態で手前側になる手前側第二挟持片２００Ａと、第三挟持片３００側であって図３に示す状態で奥側になる奥側第二挟持片２００Ｂとに分けて説明する。
【００２０】
図１〜図３に示すように、靴下Ｓを挟持する第一挟持片１００、第二挟持片２００および第三挟持片３００については、奥側第二挟持片２００Ｂおよび第三挟持片３００のうちのこの奥側第二挟持片２００Ｂに対向する部分は直接的に靴下Ｓを挟み込むわけではなく、第一挟持片１００と手前側第二挟持片２００Ａと第三挟持片３００のうちの奥側第二挟持片２００Ｂに重ならない部分との間に靴下Ｓが直接的に挟み込まれる。なお、靴下Ｓを挟み込む形態はこれ以外であっても構わない。
【００２１】
挿通孔Ｈを形成するために、第二挟持片２００から延設して第二係止片２１０が設けられ、第三挟持片３００から延設して第三係止片３１０が設けられている。これらの第二係止片２１０および第三係止片３１０には、このシートを所定の位置で折り返すと略四辺形と略円形とが連結された形状の挿通孔Ｈを形成する穴（以下においては穴という記載はこのように略四辺形と略円形とが連結された形状の穴を示す）が設けられている。
【００２２】
より詳しくは、第二係止片２１０には穴２１２が、第三係止片３１０には穴３１２がそれぞれ設けられている。さらに、この第二係止片２１０の穴２１２に対応するようにその形状および位置が決められた穴２０２が第二挟持片２００に、この第三係止片３１０の穴３１２に対応するようにその形状および位置が決められた穴３０２が第三挟持片３００に、それぞれ設けられている。
【００２３】
そして、図１および図２に示すように、第二係止片２１０を谷折り線２１１で第二挟持片２００側へ折り返して重ね合わせて（矢示Ｒ（１）方向へ折り返して）穴２０２と穴２１２とを重なり合わせて、第三係止片３１０を谷折り線３１１で第三挟持片３００側へ折り返して重ね合わせて（矢示Ｒ（２）方向へ折り返して）穴３０２と穴３１２とを重なり合わせて、第二挟持片２００を谷折り線２５１および谷折り線２５２で第三挟持片３００側へ折り返して重ね合わせて（矢示Ｒ（５）方向へ折り返して）穴２０２と穴２１２と穴３０２と穴３１２とを重なり合わせて、シート４枚分の厚み（四重）で強固な強度を備えた挿通孔Ｈが形成される。この吊り下げ用口券１０の挿通孔Ｈはシート４枚分の厚み（四重）で形成されているが、本考案は四重を含み四重以上であれば構わない。
【００２４】
なお、第二挟持片２００と第三挟持片３００との間には、シート４枚分の厚みに対応する間隙部２５０を備えている。この間隙部２５０を備えない場合には、シートがある程度厚いと挿通孔Ｈ近傍に厚み４枚分の膨らみができてしまうために、間隙部２５０によりこのような膨らみができることを回避している。
本実施の形態に係る吊り下げ用口券１０においては、シート４枚分（四重）に重ねられたシートにより挿通孔Ｈが形成されているが、本考案に係る吊り下げ用口券は四重に限定されるものではなく、シート４枚分（四重）以上に重ねられたシートにより強固な強度を備えた挿通孔Ｈがシートのみの素材により形成されていればよい。
【００２５】
図２（Ａ）に示すシートの初期状態から、上述したように挿通孔Ｈを形成するために第二係止片２１０および第三係止片３１０をそれぞれ矢示Ｒ（１）方向および矢示Ｒ（２）方向へ折り返すとともに、押し付け長片２２０を山折り線２２１で折り返して（矢示Ｒ（３）方向へ折り返して）、押し付け短片２３０を山折り線２３１で折り返した（矢示Ｒ（４）方向へ折り返した）状態が図２（Ｂ）に示す状態である。
【００２６】
ここで、押し付け長片２２０および押し付け短片２３０は、このように山折り線で折り返すことにより手前側第二挟持片２００Ａと奥側第二挟持片２００Ｂとの間に空隙を設けることができ、山折りではなく谷折りにすると第一挟持片１００と第三挟持片３００との間に空隙を設けることができる。いずれの場合であっても、厚みがある靴下Ｓの厚み等を考慮してこの空隙を設けることが好ましい。また、これらの押し付け長片２２０および押し付け短片２３０は、一方を山折りにして、もう一方を谷折りにしても構わない。
【００２７】
図２（Ｂ）に示す状態から、第二挟持片２００を谷折り線２５１および谷折り線２５２で第三挟持片３００側へ折り返して重ね合わせて（矢示Ｒ（５）方向へ折り返して）、さらに、手前側第二挟持片２００Ａを山折り線２０１で奥側第二挟持片２００Ｂ側へ折り返して重ね合わせた（矢示Ｒ（６）方向へ折り返した）状態が図２（Ｃ）に示す状態である。この時点で、上述したように、穴２０２と穴２１２と穴３０２と穴３１２とが重なり合い、シート４枚分の厚み（四重）で強固な強度を備えた挿通孔Ｈが形成されている。
【００２８】
図２（Ｃ）に示すように、左右ペアの靴下Ｓを、たとえば履き口のゴム編みが終わった近傍でナイロンピンＮＰを打ち込んで左右バラバラにならないようにして、靴下Ｓに付した山折り線ＳＳで靴下Ｓを折り畳む。このように折り畳んだ靴下Ｓを図２（Ｃ）に示す状態の吊り下げ用口券１０へ図２（Ｄ）に示す位置へ載置する。
図２（Ｄ）に示す状態の位置に折り畳んだ靴下Ｓを載置してから、第一挟持片１００を谷折り線１５１および谷折り線１５２で第三挟持片３００側へ折り返して重ね合わせて（矢示Ｒ（７）方向へ折り返して）、第一挟持片１００と第三挟持片３００との間に靴下Ｓを直接的に挟み込む。この状態が図２（Ｅ）に示す状態である。
【００２９】
これにより、シート４枚分の厚みで強固な強度を備えた挿通孔Ｈが形成されるとともに、第一挟持片１００と第三挟持片３００との間に靴下Ｓが挟み込まれている。なお、第一挟持片１００と第二挟持片２００との間には、繊維小物である靴下Ｓの厚みに対応する小物間隙部１５０を備えている。この小物間隙部１５０は、繊維小物の厚みにより適宜設定される。また、第２挟持片２００（特に奥側第２挟持片２００Ｂ）は直接的に靴下Ｓを挟み込むものではないが、山折り線２０１により山折りにされた第２挟持片２００は、靴下Ｓを第１挟持片１００側へ押圧して、吊り下げ用口券１０から靴下Ｓがずれることを後述する糸Ｆととも防止する。
【００３０】
最後に、この吊り下げ用口券１０から靴下Ｓが容易に外れないように、第一挟持片１００のピン穴１６０のうちの右側のピン穴から靴下Ｓおよび第三挟持片３００のピン穴３６０のうちの右側のピン穴へ糸Ｆを通して、その糸Ｆを第三挟持片３００のピン穴３６０のうちの左側のピン穴から靴下Ｓおよび第一挟持片１００のピン穴１６０のうちの左側のピン穴へ糸Ｆを通すことを３〜４回繰り返して、糸Ｆにより吊り下げ用口券１０に靴下Ｓを固定する。なお、糸Ｆではなくナイロンピンで吊り下げ用口券１０に靴下Ｓを固定しても構わない。また、吊り下げ用口券１０に予めピン穴を設けるのではなく、吊り下げ用口券１０に靴下Ｓを固定する時点で初めて（固定する処理に起因して）、糸Ｆと針穴に通した針またはナイロンピンによりピン穴が吊り下げ用口券１０に穿設されるものであっても構わない。
【００３１】
このようにして、靴下Ｓは吊り下げ用口券１０に挟持されて、容易に外れないように糸Ｆで止められる。このような吊り下げ用口券１０および靴下Ｓは、陳列用ディスプレイに取り付けた係止棒Ｂが挿通孔Ｈに挿通されて展示販売される。この場合において、図３に示すように、挿通孔Ｈに係止棒Ｂが挿通されて縦吊りで展示販売される。
このように縦吊りで展示販売される場合であっても、この本考案の実施の形態に係る吊り下げ用口券１０における挿通孔Ｈは、シート４枚分の厚みで強固な強度を備えた挿通孔Ｈであるので、挿通孔Ｈが容易に破損することを抑制できる。さらに、この吊り下げ用口券１０は、樹脂製のフックを用いていないで強固な挿通孔を実現しているので、安価に提供できるだけではなく、使用後は１種類の資源ゴミとして廃棄することができる。
【００３２】
また、略四辺形と略円形とが連結された形状の挿通孔Ｈであるので係止棒Ｂの奥にある靴下Ｓを取り出す場合であっても、引張り荷重を与えて口券の一部を破る必要もなく、強固な強度を備えた挿通孔Ｈであるので係止棒Ｂに係止させても挿通孔Ｈが破損することを抑制できる。
特に、挿通孔Ｈの形状が略四辺形の一辺が略円形の略接線であるように連結された形状の穴であるために、略四辺形と略円形との間に段差がないので、滑らかに靴下Ｓを挟持させた吊り下げ用口券１０を係止棒Ｂに係止させることができる。さらに、連結された部分において略四辺形の辺の長さＬよりも略円形の直径φＤの長さが大きいために、係止棒Ｂに係止した後は、この略円形であって略四辺形の辺の長さＬよりも長い径の部分で安定的に係止棒Ｂに係止される。
【００３３】
以上のようにして、本実施の形態に係る吊り下げ用口券によると、靴下を含む繊維小物の吊り下げ用口券であって、平面状のシートで形成されるとともにこのシートが所定の位置で折り返されて係止棒に吊り下げ可能な安価な吊り下げ用口券を提供することができる。
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３４】
本考案は、靴下等の繊維小物に好適であり、平面状のシートで形成されるとともにこのシートが所定の位置で折り返されて係止棒に吊り下げ可能な強固な挿通孔が形成される点で好ましく、フック等のシートとは異なる素材を用いない点で安価である点で特に好ましい。
【符号の説明】
【００３５】
１０  吊り下げ用口券
１００  第一挟持片
１５０  小物間隙部
１６０  ピン穴
２００  第二挟持片
２１０  第二係止片
２５０  間隙部
３００  第三挟持片
３１０  第三係止片
３６０  ピン穴
Ｓ  靴下
Ｈ  挿通孔
【図１】
0003221511.tif 000003
【図２】
0003221511.tif 000004
【図３】
0003221511.tif 000005